(57)【特許請求の範囲】
【請求項１】
比較的高圧の蒸気を発生させる第１のボイラと、該第１のボイラの蒸気が高圧ヘッダを介して導入されるアキュムレータと、該アキュムレータから蒸気が減圧弁を介して導入される低圧ヘッダと、該低圧ヘッダに比較的低圧の蒸気を供給する第２のボイラとを備えてなり、該低圧ヘッダから蒸気消費機器へ蒸気が供給されるボイラ装置を制御する方法において、
該アキュムレータの蒸気圧力が所定値よりも上昇するほど第２のボイラの燃焼量を減少させ、
該アキュムレータの蒸気圧力が所定値よりも低下するほど第２のボイラの燃焼量を増大させ、
該低圧ヘッダの蒸気圧力が上昇するほど第２のボイラの燃焼量を減少させるようにしたボイラ装置の制御方法であって、
アキュムレータの最高使用圧力Ａｍａｘ、
アキュムレータの確保すべき最低圧力Ａｍｉｎ、
減圧弁の全閉圧力Ｒｍａｘ、
減圧弁の全開圧力Ｒｍｉｎ、
低圧ヘッダの目標上限蒸気圧力Ｈｍａｘ、
低圧ヘッダの目標下限蒸気圧力Ｈｍｉｎ
を設定しておき、これらの設定値と現状のアキュムレータ蒸気圧力Ａ及び低圧ヘッダ蒸気圧力Ｈとに基づいて第２のボイラの燃焼量を制御する方法であり、
該第２のボイラの最大燃焼量がＣｍａｘである場合、第２のボイラの燃焼量Ｃを
Ｃ＝Ｃｍａｘ・（Ｈｍａｘ−Ｈ＋Ｄ）／（Ｈｍａｘ−Ｈｍｉｎ）
ただし
Ｄ＝[(Ａｍａｘ−Ａ)・(Ｈｍａｘ−Ｈｍｉｎ)／(Ａｍａｘ−Ａｍｉｎ)]
−Ｒｍａｘ＋Ｈｍｉｎ
にて算出される値Ｃとすることを特徴とするボイラ装置の制御方法。
【発明の詳細な説明】
【０００１】
【発明の属する技術分野】
本発明はボイラ装置の制御方法に係り、特に複数のボイラからの蒸気を低圧ヘッダを介してプロセス（蒸気消費機器）へ供給するボイラ装置の制御方法に関する。
【０００２】
詳しくは、本発明は、比較的高圧の蒸気を発生させる第１のボイラと、該第１のボイラの蒸気が高圧ヘッダを介して導入されるアキュムレータと、該アキュムレータから蒸気が減圧弁を介して導入される低圧ヘッダと、該低圧ヘッダに比較的低圧の蒸気を供給する第２のボイラとを備えてなり、該低圧ヘッダからプロセスへ蒸気が供給されるボイラ装置の制御方法に関する。
【０００３】
【従来の技術】
比較的高圧の蒸気を発生させる第１のボイラと、該第１のボイラの蒸気が高圧ヘッダを介して導入されるアキュムレータと、該アキュムレータから蒸気が減圧弁を介して導入される低圧ヘッダと、該低圧ヘッダに比較的低圧の蒸気を供給する第２のボイラとを備えてなり、該低圧ヘッダからプロセスへ蒸気が供給されるボイラ装置の構成の一例を図３を参照して説明する。この従来例では第１のボイラとして２基のボイラ１１，１２が設置され、第２のボイラとして小型貫流ボイラ２０が設置されている。
【０００４】
ボイラ１１，１２からの比較的高圧の蒸気は、高圧ヘッダ２と、該高圧ヘッダ２内の圧力を一定圧に保つための圧力調節弁３とを介してアキュムレータ４に導入される。このアキュムレータ４内の蒸気は、減圧弁（全閉圧力Ｒｍａｘ、全開圧力Ｒｍｉｎ）５を介して低圧ヘッダ６に導入される。一方、前記小型貫流ボイラ２０の発生蒸気は逆止弁（図示略）を介して直接的に該低圧ヘッダ６に導入される。この低圧ヘッダ６内の蒸気が蒸気消費機器（以下、プロセスという。）に供給される。小型貫流ボイラ２０の燃焼量は、圧力センサ８で検出される低圧ヘッダ６内の圧力が予め設定された上限圧力Ｈｍａｘと下限圧力Ｈｍｉｎとの間の圧力となるように制御器７によって制御される。なお、Ｈｍｉｎ＜Ｒｍｉｎ＜Ｒｍａｘ＜Ｈｍａｘである。
【０００５】
図３の従来例では、低圧ヘッダ６内の圧力Ｈにのみ基づいて小型貫流ボイラ２０の燃焼量を制御しており、例えば後述の式（１）においてＤ＝０と設定している。この場合は、小型貫流ボイラ２０の燃焼量Ｃは低圧ヘッダ６の蒸気圧力Ｈが検知されると図４のグラフの関係に基づいて燃焼量Ｃが一義的に定まる。図４では、低圧ヘッダ圧力ＨはＨｍｉｎとＨｍａｘとの間に納まるように小型貫流ボイラ２０の燃焼量が制御される。
【０００６】
この図３の構成を有するボイラ装置は、ボイラ１１，１２、高圧ヘッダ２、弁３、アキュムレータ４、減圧弁５及び低圧ヘッダ６を有した既設のボイラ装置に対し小型貫流ボイラなど比較的蒸気発生圧力の低いボイラを新たに創設する場合に採用が検討されるものである。
【０００７】
なお、上記アキュムレータ４は、周知の通り、蒸気発生元であるボイラ１１，１２と、プロセスとの途中に設置され、ボイラの発生する蒸気量と、プロセスの消費する蒸気量のアンバランスを吸収することを目的として使用される。このアキュムレータは、内部に保有した多量の飽和水が持つ熱エネルギーを用いて飽和蒸気を作り出す、または飽和蒸気のエネルギーを飽和水として蓄熱するものである。アキュムレータの入口蒸気圧力と、出口蒸気圧力は異なっており、この圧力差に対応した飽和水温度差分のエネルギーの蓄熱・放熱が可能となる。
【０００８】
アキュムレータ内の圧力は、飽和水の蓄熱量に応じて変動する。しかしながら、プロセスへは一定の圧力の蒸気を供給しなければならないため、アキュムレータ出口には減圧弁５を設置し、一定の蒸気圧力で蒸気を供給している。
【０００９】
複数のボイラを使用して蒸気を発生させる場合は、各ボイラの発生した蒸気を高圧スチームヘッダ２にて合流し、アキュムレータ４に導き、プロセスが要求する圧力に減圧して、プロセスへ供給する。
【００１０】
ここで、小型貫流ボイラを新たに増設する場合、アキュムレータの上流に増設できれば良いのであるが、次の理由で困難な場合が多い。まず、アキュムレータを効率良く（即ち、保有水量当たりの蓄熱・放熱量を多くするように）使用するには、入口蒸気圧力と出口蒸気圧力の差を大きくしなければならない。一般的には、入口蒸気圧力１．５ＭＰａ、出口蒸気圧力０．５ＭＰａ程度で使用される。ところが、小型貫流ボイラの最高使用圧力は０．９８ＭＰａまでであるため、小型貫流ボイラの発生した蒸気を高圧スチームヘッダに接続することができない。
【００１１】
そこで、図３の通り、アキュムレータ出口に設置した減圧弁５の下流の低圧ヘッダ６にて、小型貫流ボイラの蒸気を合流することが考えられる。
【００１２】
【発明が解決しようとする課題】
図３のボイラ装置にあっては、アキュムレータ４の上流に配置されたボイラ１１，１２の燃焼量と、小型貫流ボイラ２０の燃焼量の比をコントロールすることができない。また、小型貫流ボイラ２０が１００％の能力で動作しているときには、アキュムレータ４内の熱量は既に消費されており、この時に負荷変動が発生した場合にはアキュムレータ４で負荷変動を吸収することができないという短所がある。
【００１３】
以下、この理由について説明する。
【００１４】
図３のボイラ装置において、プロセス側への蒸気供給圧力が減圧弁５の全閉圧力Ｒｍａｘより高い場合は、減圧弁５は全閉となっているので、アキュムレータ４から低圧ヘッダ６への蒸気供給は行われず、小型貫流ボイラ２０の発生蒸気だけが低圧ヘッダ６に供給される。小型貫流ボイラ２０は、低圧ヘッダ６内の蒸気圧力Ｈが許容上限圧力Ｈｍａｘ以下となるように燃焼量制御される。プロセスの蒸気消費量が増えてプロセス側の蒸気供給圧力が減圧弁５の蒸気調整圧力幅内（ＲｍｉｎとＲｍａｘとの間の圧力）になったときは、小型貫流ボイラ２０からの蒸気供給が継続されると共に、新たにアキュムレータ４からも蒸気が供給される。
【００１５】
このアキュムレータ４は、内部に蓄熱した熱量を全て消費してしまうまで低圧ヘッダ６に蒸気を供給し続ける。このアキュムレータ４からの蒸気供給が継続することによりアキュムレータ４の蓄熱量が低圧ヘッダ６側から要求される蒸気量に対して不足してくると、低圧ヘッダ６内の蒸気圧力が次第に低下する。この低圧ヘッダ６内の圧力低下が検知されると、小型貫流ボイラ２０は、燃焼量を増加して蒸気発生量を増やし、低圧ヘッダ６内の蒸気圧力をＨｍｉｎ以上に保持しようとする。
【００１６】
このように、従来においては図３の小型貫流ボイラ２０の燃焼量を低圧ヘッダ６内の圧力にのみ応じて制御するところから、低圧ヘッダ６内の圧力がＲｍａｘよりも高いときは小型貫流ボイラ２０のみから蒸気が低圧ヘッダ６に供給され、小型貫流ボイラ２０の負荷がいたずらに高くなり、ボイラ１１，１２が蒸気を供給しなくなる。
【００１７】
また、上記の通り、アキュムレータ４からの蒸気供給が不足して低圧ヘッダ６内の圧力が低下してくると小型貫流ボイラ２０の燃焼量が増大されるが、このときにはアキュムレータ４内の保有熱量が殆どすべて消費されているため、プロセス側での蒸気需要が急激に増大しても折角のアキュムレータがこの需要急増に対処するように活用されないことになる。そして、これにより、ボイラ装置からプロセス側への蒸気供給が需要急増に追従できないことになる。
【００１８】
また、図３のボイラ装置にあっては、ボイラ１１，１２がゴミ発電ボイラやコージェネレイションシステム（熱電併給システム）の廃熱ボイラなどのように、プロセス側の蒸気需要量の変動に追従することなく蒸気を発生させるものである場合、低圧ヘッダ６内の蒸気圧力が減圧弁全閉圧力Ｒｍａｘよりも高いときには、前記の通り、アキュムレータ４内に蒸気が導入され続けているにも拘らず減圧弁３が全閉になっているためにアキュムレータ４から低圧ヘッダ６へ蒸気が供給されず、その結果として放蒸弁１１ａ，１２ａを開いて蒸気を放出しなければならない。このように、図３のボイラ装置ではアキュムレータの蒸気蓄積能力を十分に活用できないことがあった。
【００１９】
本発明は、上記従来の短所を克服し、小型貫流ボイラなどの第２のボイラからの低圧ヘッダの蒸気供給が適切に行われると共に、アキュムレータ内の蒸気量を適正化することが可能なボイラ装置の制御方法を提供することを目的とする。
【００２０】
【課題を解決するための手段】
本発明のボイラ装置の制御方法は、比較的高圧の蒸気を発生させる第１のボイラと、該第１のボイラの蒸気が高圧ヘッダを介して導入されるアキュムレータと、該アキュムレータから蒸気が減圧弁を介して導入される低圧ヘッダと、該低圧ヘッダに比較的低圧の蒸気を供給する第２のボイラとを備えてなり、該低圧ヘッダから蒸気消費機器へ蒸気が供給されるボイラ装置を制御する方法において、該アキュムレータの蒸気圧力が所定値よりも上昇するほど第２のボイラの燃焼量を減少させ、該アキュムレータの蒸気圧力が所定値よりも低下するほど第２のボイラの燃焼量を増大させ、該低圧ヘッダの蒸気圧力が上昇するほど第２のボイラの燃焼量を減少させるようにしたボイラ装置の制御方法であって、アキュムレータの最高使用圧力Ａｍａｘ、アキュムレータの確保すべき最低圧力Ａｍｉｎ、減圧弁の全閉圧力Ｒｍａｘ、減圧弁の全開圧力Ｒｍｉｎ、低圧ヘッダの目標上限蒸気圧力Ｈｍａｘ、低圧ヘッダの目標下限蒸気圧力Ｈｍｉｎを設定しておき、これらの設定値と現状のアキュムレータ蒸気圧力Ａ及び低圧ヘッダ蒸気圧力Ｈとに基づいて第２のボイラの燃焼量を制御する方法であり、該第２のボイラの最大燃焼量がＣｍａｘである場合、第２のボイラの燃焼量Ｃを
Ｃ＝Ｃｍａｘ・（Ｈｍａｘ−Ｈ＋Ｄ）／（Ｈｍａｘ−Ｈｍｉｎ）
ただし
Ｄ＝[(Ａｍａｘ−Ａ)・(Ｈｍａｘ−Ｈｍｉｎ)／(Ａｍａｘ−Ａｍｉｎ)]
−Ｒｍａｘ＋Ｈｍｉｎ
にて算出される値Ｃとすることを特徴とするものである。
【００２１】
かかるボイラ装置の制御方法にあっては、アキュムレータ内の蒸気圧力と低圧ヘッダ内の蒸気圧力の双方に基づいて第２のボイラの燃焼量を制御するので、アキュムレータの蒸気圧力を適正化するように第２のボイラの燃焼量を制御することが可能である。
【００２２】
本発明では、例えば、アキュムレータの蒸気圧力が所定値から上昇するほど第２のボイラの燃焼量を減少させたり、アキュムレータの蒸気圧力が所定値から低下するほど第２のボイラの燃焼量を増大させたり、あるいは、該低圧ヘッダの蒸気圧力が上昇するほど第２のボイラの燃焼量を減少させるように制御することができる。
【００２３】
【発明の実施の形態】
以下、図面を参照して実施の形態について説明する。図１は実施の形態に係る制御方法が適用されるボイラ装置の系統図、図２（ａ）は小型貫流ボイラの燃焼量と低圧ヘッダ蒸気圧力との関係線図、図２（ｂ）は各蒸気圧力の対比図である。
【００２４】
この実施の形態においても、ボイラ１１，１２の蒸気が高圧ヘッダ２、弁３、アキュムレータ４及び減圧弁５を介して低圧ヘッダ６に導入され、小型貫流ボイラ２０の蒸気が逆止弁のみを介して低圧ヘッダ６に直接に導入され、この低圧ヘッダ６からプロセスへ蒸気が供給される。低圧ヘッダ６及びアキュムレータ４にそれぞれ圧力計８，９が設置され、これらの検出圧力Ｈ，Ａが制御器７に入力され、制御器７が小型貫流ボイラ２０のバーナの燃焼量を制御する。
【００２５】
この実施の形態では、アキュムレータ４の蒸気圧力Ａと低圧ヘッダ６内の蒸気圧力Ｈとを検知し、これらの蒸気圧力Ａ、Ｈに基づいて小型貫流ボイラ２０の燃焼量を制御する。具体的には、アキュムレータの最高使用圧力Ａｍａｘ、アキュムレータの確保すべき最低圧力Ａｍｉｎ、減圧弁の全開圧力Ｒｍａｘ、減圧弁の全閉圧力Ｒｍｉｎ、低圧ヘッダの目標上限蒸気圧力Ｈｍａｘ、低圧ヘッダの目標下限蒸気圧力Ｈｍｉｎを設定しておき、これらの設定値と現状のアキュムレータ蒸気圧力Ａ及び低圧ヘッダ蒸気圧力Ｈとに基づいて小型貫流ボイラ２０の燃焼量を制御する。
【００２６】
制御器７のメモリには、予め
アキュムレータの最高使用圧力Ａｍａｘ、
アキュムレータの確保すべき最低圧力Ａｍｉｎ、
減圧弁の全閉圧力Ｒｍａｘ、
減圧弁の全開圧力Ｒｍｉｎ、
低圧ヘッダの目標上限蒸気圧力Ｈｍａｘ、
低圧ヘッダの目標下限蒸気圧力Ｈｍｉｎ
小型貫流ボイラ２０の最大燃焼量Ｃｍａｘ
が設定されている。また、次の演算式（１）（２）がメモリに入力されると共に、演算及び制御に必要なプログラムが制御器７に格納されている。
【００２７】
【数１】
0003922008.tif 000002
【００２８】
上記（１）式は、小型貫流ボイラの燃焼量Ｃは、従来の如くＣｍａｘに対して低圧ヘッダ蒸気圧力変動幅（Ｈｍａｘ−Ｈｍｉｎ）に対する低圧ヘッダの上限圧力と現状圧力との差（Ｈｍａｘ−Ｈ）の比を乗じる（即ち、Ｃ＝Ｃｍａｘ・（Ｈｍａｘ−Ｈ）／（Ｈｍａｘ−Ｈｍｉｎ）とする）のではなく、Ｈｍａｘ−Ｈｍｉｎに対する、低圧ヘッダの上限圧力と現状圧力との差に補正分としてＤ値を加えた値（Ｈｍａｘ−Ｈ＋Ｄ）の比すなわち（Ｈｍａｘ−Ｈ＋Ｄ）／（Ｈｍａｘ−Ｈｍｉｎ）をＣｍａｘに乗じるものである。
【００２９】
この補正分Ｄは上記式（２）で算出されるものである。
【００３０】
このＤ値は、低圧ヘッダ６の蒸気圧力最大変動幅（Ｈｍａｘ−Ｈｍｉｎ）に対しアキュムレータ４内の現状圧力の状況を示す係数（Ａｍａｘ−Ａ）／（Ａｍａｘ−Ａｍｉｎ）を乗じて得た値
（Ｈｍａｘ−Ｈｍｉｎ）・（Ａｍａｘ−Ａ）／（Ａｍａｘ−Ａｍｉｎ）
を変数値とし、この値から減圧弁全閉圧力値（減圧弁流出上限値）Ｒｍａｘと低圧ヘッダ許容下限値Ｈｍｉｎとの差（Ｒｍａｘ−Ｈｍｉｎ）を減じた値である。
【００３１】
上記の係数（Ａｍａｘ−Ａ）／（Ａｍａｘ−Ａｍｉｎ）は、アキュムレータ４内の蒸気圧力の許容変動幅（Ａｍａｘ−Ａｍｉｎ）に対する現状の蒸気圧力Ａと許容上限圧力Ａｍａｘの差（Ａｍａｘ−Ａ）の比である。この比が大きいほどアキュムレータ４内の蒸気圧力が消費されてしまっていることになるので、この比が大きいほどＤ値を大きくして燃焼量Ｃを大きくする。なお、（Ｈｍａｘ−Ｈｍｉｎ）・（Ａｍａｘ−Ａ）／（Ａｍａｘ−Ａｍｉｎ）から（Ｒｍａｘ−Ｈｍｉｎ）を減算するのは、演算された（Ｈｍａｘ−Ｈｍｉｎ）・（Ａｍａｘ−Ａ）／（Ａｍａｘ−Ａｍｉｎ）が（Ｒｍａｘ−Ｈｍｉｎ）よりも大きいとき、即ちアキュムレータ内蒸気圧力がある程度低下している場合に限り（Ｈｍａｘ−Ｈｍｉｎ）・（Ａｍａｘ−Ａ）／（Ａｍａｘ−Ａｍｉｎ）と（Ｒｍａｘ−Ｈｍｉｎ）との差分だけの値（Ｄ値）を小型貫流ボイラ燃焼量増大に寄与させて小型貫流ボイラ２０からの蒸気量を多くし、アキュムレータ４からの蒸気放出を抑制する。そして、逆に演算された（Ｈｍａｘ−Ｈｍｉｎ）・（Ａｍａｘ−Ａ）／（Ａｍａｘ−Ａｍｉｎ）が（Ｒｍａｘ−Ｈｍｉｎ）よりも小さいとき、即ちアキュムレータ内蒸気圧力がそれ程低下しておらず十分量の蒸気がアキュムレータ４内に存在しているときには、小型貫流ボイラ２０の燃焼量を少なくしてアキュムレータ４からの蒸気放出を多目にするためである。後者のように、アキュムレータ４からある程度蒸気を放出しておくと、ボイラ１１，１２からの蒸気導入量がアキュムレータ４からの蒸気流出量を上回るときに過剰な導入蒸気をアキュムレータ４に蓄積することができる。
【００３２】
上記のＤ値の正負が小型貫流ボイラの燃焼量Ｃに与える影響は図２（ａ）に示す通りである。図２（ａ）のＤ＝０は従来の場合と同じである。Ｄ＝＋α（α＞０）のときには、Ｄ＝０のときに比べて同一低圧ヘッダ内蒸気圧力のときでも小型貫流ボイラ燃焼量が多い。Ｄ＝−β（β＞０）のときには、Ｄ＝０のときに比べて同一低圧ヘッダ内蒸気圧力のときの小型貫流ボイラ燃焼量が少ない。
【００３３】
【実施例】
以下、具体的な実施例について説明する。
【００３４】
図１において、ボイラ１１，１２、小型貫流ボイラ２０としていずれも最大蒸気発生量１０ｔ／Ｈのものとする。高圧ヘッダ２内の蒸気圧力は平均１．３７ＭＰａとし、アキュムレータ４の容量は１２０ｍ３とする。その他の圧力設定値は次の通りとする。
0003922008.tif 000003
【００３５】
［比較例１］
まず、アキュムレータ内蒸気圧力に関わりなく小型貫流ボイラ２０の燃焼量を低圧ヘッダ６の蒸気圧力にのみ基づいて制御するＤ≡０の場合について説明する。
この場合、
Ｃ＝Ｃｍａｘ・（Ｈｍａｘ−Ｈ）／（Ｈｍａｘ−Ｈｍｉｎ）
であり、Ｈｍａｘ＝０．５４、Ｈｍｉｎ＝０．４４
Ｃｍａｘ＝１０ｔ／Ｈを代入する。
低圧ヘッダ６内の蒸気圧力Ｈが上限と下限の中間値０．４９ＭＰａの場合
0003922008.tif 000004
となる。即ち、小型貫流ボイラ２０はアキュムレータ４内の蒸気圧力に無関係に低圧ヘッダ６に蒸気を５ｔ／Ｈにて供給するように燃焼される。
【００３６】
［実施例１］（アキュムレータ４内の蒸気圧力Ａ＝１．２ＭＰａの場合）
まずＤ値を計算する。
0003922008.tif 000005
比較例１と同じくＨ＝０．４９ＭＰａの場合、
0003922008.tif 000006
このように、アキュムレータ４内に蒸気がかなり蓄積されているときには小型貫流ボイラ２０の蒸気発生量が１．５ｔ／Ｈと小さい値となり、その分だけアキュムレータ４から低圧ヘッダ６へ蒸気が供給される。
【００３７】
［実施例２］（Ａ＝１．１ＭＰａの場合）
実施例１においてアキュムレータ４内蒸気圧力Ａ＝１．１としたこと以外は同一とすると、同様の計算により
0003922008.tif 000007
となる。
【００３８】
［実施例３］（Ａ＝１．０の場合）
Ａ以外実施例１と同一とする。同様の計算によりＤ、Ｃは次の通りとなる。
Ｄ＝０．０１５
Ｃ＝６．５ｔ／Ｈ
【００３９】
［実施例４］（Ａ＝０．９の場合）
Ａ以外実施例１と同一とする。同様の計算によりＤ、Ｃは次の通りとなる。
Ｄ＝０．０４
Ｃ＝９ｔ／Ｈ
【００４０】
実施例１〜４の通り、アキュムレータ４内の圧力が高い（Ａ＝１．２又は１．１ＭＰａ）の場合、小型貫流ボイラ２０の蒸気量は比較例１のときよりも少ない。これにより、アキュムレータ４側（ボイラ１１，１２側）の蒸気がプロセスに多量に供給される。アキュムレータ４内の圧力が低い（Ａ＝１．０又は０．９ＭＰａ）の場合、小型貫流ボイラ２０の蒸気量は比較例１の場合よりも多い。これにより、アキュムレータ４内からの蒸気供給が抑制され、ボイラ１１，１２からの供給蒸気がアキュムレータ４内に蓄積される。
【００４１】
なお、計算の結果Ｃ値が負になるときには小型貫流ボイラ２０は停止される。
【００４２】
【発明の効果】
以上の実施例及び比較例からも明らかな通り、本発明によると比較的高圧の蒸気を発生させる第１のボイラと、該第１のボイラの蒸気が高圧ヘッダを介して導入されるアキュムレータと、該アキュムレータから蒸気が減圧弁を介して導入される低圧ヘッダと、該低圧ヘッダに比較的低圧の蒸気を供給する第２のボイラとを備えてなり、該低圧ヘッダからプロセスへ蒸気が供給されるボイラ装置において、アキュムレータ内の蒸気蓄積量を適正化したり、あるいは小型貫流ボイラ等の第２のボイラの燃焼量を適正化することができる。
【図面の簡単な説明】
【図１】実施の形態に係るボイラ装置の系統図である。
【図２】実施の形態の説明図である。
【図３】比較例に係るボイラ装置の系統図である。
【図４】図３の装置の動作説明図である。
【符号の説明】
４  アキュムレータ
５  減圧弁
６  低圧ヘッダ
１１，１２  第１のボイラ
２０  小型貫流ボイラ
【図１】
0003922008.tif 000008
【図２】
0003922008.tif 000009
【図３】
0003922008.tif 000010
【図４】
0003922008.tif 000011